(57)【特許請求の範囲】
【請求項１】
パケットデータネットワークゲートウェイは端末へ前記パケットデータネットワークゲートウェイがマルチアクセスを支持することを表示し、第１プロトコル配置オプションに封入された第１のマルチアクセス能力指示を前記端末に送信することと、
前記パケットデータネットワークゲートウェイのマルチアクセス能力指示により、前記端末がマルチアクセスを実行することと、
を含むことを特徴とする発展型パケットシステムにおける端末のマルチアクセス方法。
【請求項２】
パケットデータネットワークゲートウェイが端末へ第１のマルチアクセス能力指示を送信する前に、前記マルチアクセス方法は、
前記端末は前記パケットデータネットワークゲートウェイへ前記端末がマルチアクセスを支持することを表示する第２のマルチアクセス能力指示を送信することを更に含むことを特徴とする請求項１に記載のマルチアクセス方法。
【請求項３】
パケットデータネットワークゲートウェイが端末へ第１のマルチアクセス能力指示を送信することは、具体的には、
サービングゲートウェイが前記パケットデータネットワークゲートウェイへベアラ確立要求又は代理結合更新を送信することと、
前記パケットデータネットワークゲートウェイが前記端末にネットワークプロトコルアドレスを分配し、そして前記サービングゲートウェイへ、パケットデータネットワークゲートウェイがマルチアクセスを支持することを表示する前記第１のマルチアクセス能力指示を含むベアラ確立応答又は代理結合確定を返すことと、
前記サービングゲートウェイが前記第１のマルチアクセス能力指示を前記端末に伝達することとを含むことを特徴とする請求項１に記載のマルチアクセス方法。
【請求項４】
パケットデータネットワークゲートウェイが端末へ第１のマルチアクセス能力指示を送信することは、具体的には、
信頼性非３ＧＰＰアクセスゲートウェイが前記パケットデータネットワークゲートウェイへ代理結合更新要求を送信することと、
前記パケットデータネットワークゲートウェイが前記端末にネットワークプロトコルアドレスを分配することと、
前記パケットデータネットワークゲートウェイが前記信頼性非３ＧＰＰアクセスゲートウェイへ、前記端末のネットワークプロトコルアドレスと前記第１のマルチアクセス能力指示を含む代理結合確認を返すことと、
前記信頼性非３ＧＰＰアクセスゲートウェイが前記第１のマルチアクセス能力指示を前記端末に伝達することとを含むことを特徴とする請求項１に記載のマルチアクセス方法。
【請求項５】
パケットデータネットワークゲートウェイが端末へ第１のマルチアクセス能力指示を送信することは、具体的には、
発展型パケットデータネットワークゲートウェイが前記パケットデータネットワークゲートウェイへ代理結合更新要求を送信することと、
前記パケットデータネットワークゲートウェイが前記端末にネットワークプロトコルアドレスを分配することと、
前記パケットデータネットワークゲートウェイが前記発展型パケットデータネットワークゲートウェイへ、前記端末のネットワークプロトコルアドレスと前記第１のマルチアクセス能力指示を含む代理結合確認を返すことと、
前記発展型パケットデータネットワークゲートウェイが前記第１のマルチアクセス能力指示を前記端末に伝達することとを含むことを特徴とする請求項１に記載のマルチアクセス方法。
【請求項６】
前記マルチアクセス方法は、
前記端末へ前記第１のマルチアクセス能力指示を送信するとともに、前記端末へ前記パケットデータネットワークゲートウェイが支持する移動性管理プロトコルタイプを送信することを更に含むことを特徴とする請求項１に記載のマルチアクセス方法。
【請求項７】
前記マルチアクセス方法は、
前記パケットデータネットワークゲートウェイがマルチアクセスを支持しない場合、前記パケットデータネットワークゲートウェイが端末へ前記第１のマルチアクセス能力指示を送信しないことと、
前記端末がマルチアクセスを実行しないこととを更に含むことを特徴とする請求項１に記載のマルチアクセス方法。
【請求項８】
第２のマルチアクセス能力指示を第２プロトコル配置オプションに封入して前記パケットデータネットワークゲートウェイへ送信することを特徴とする請求項１〜６のいずれかに記載のマルチアクセス方法。
【請求項９】
端末へマルチアクセスを支持することを表示し、第１プロトコル配置オプションに封入された第１のマルチアクセス能力指示を前記端末に送信し、そして前記端末のマルチアクセスを完成するパケットデータネットワークゲートウェイと、
前記第１のマルチアクセス能力指示によりマルチアクセスを実行する前記アクセスモジュールと、
を含むことを特徴とする発展型パケットシステムにおける端末のマルチアクセスシステム。
【請求項１０】
前記アクセスモジュールは前記パケットデータネットワークゲートウェイへ前記端末がマルチアクセスを支持する第２のマルチアクセス能力指示を送信することを特徴とする請求項９に記載のマルチアクセスシステム。
【請求項１１】
前記パケットデータネットワークゲートウェイは前記端末へ前記パケットデータネットワークゲートウェイが支持する移動性管理プロトコルタイプを送信することを特徴とする請求項９に記載のマルチアクセスシステム。
【請求項１２】
第２のマルチアクセス能力指示が第２プロトコル配置オプションに封入されて前記パケットデータネットワークゲートウェイへ送信されることを特徴とする請求項９〜１１のいずれかに記載のマルチアクセスシステム。
【発明の詳細な説明】
【技術分野】
【０００１】
本発明は通信分野に関し、特に、発展型パケットシステムにおける端末のマルチアクセス方法及びシステムに関する。
【背景技術】
【０００２】
図１に示すように、ＥＰＳ（Ｅｖｏｌｖｅｄ  Ｐａｃｋｅｔ  Ｓｙｓｔｅｍ、発展型パケットシステム）はアクセスネットワークと発展型パケットコアネットワーク（ＥＰＣ）からなり、アクセスネットワークはＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、発展型汎用陸地無線アクセスネットワーク）等でよく、ＥＰＣはＭＭＥ（Ｍｏｂｉｌｉｔｙ  Ｍａｎａｇｅｍｅｎｔ  Ｅｎｔｉｔｙ、移動管理ユニット）、Ｓ−ＧＷ（Ｓｅｒｖｉｎｇ  Ｇａｔｅｗａｙ，サービングゲートウェイ）、Ｐ−ＧＷ（Ｐａｃｋｅｔ  Ｄａｔａ  Ｎｅｔｗｏｒｋ  ＧａｔｅＷａｙ、パケットデータネットワークゲートウェイ）、ＨＳＳ（ホーム加入者サーバー、Ｈｏｍｅ  Ｓｕｂｓｃｒｉｂｅｒ  Ｓｅｒｖｅｒ）、３ＧＰＰ  ＡＡＡサーバー（３ＧＰＰ認証授権料金計算サーバー）、ＰＣＲＦ（Ｐｏｌｉｃｙ  ａｎｄ  Ｃｈａｒｇｉｎｇ  Ｒｕｌｅｓ  Ｆｕｎｃｔｉｏｎ、ポリシーと料金計算規則機能）及びその他の支持ノードを含む。
【０００３】
その中に、ＭＭＥは移動性管理、非アクセス層シグナル伝達の処理とユーザー文脈の管理等の制御面の関連ジョブを担当する。Ｓ−ＧＷはＥ−ＵＴＲＡＮに接続されるアクセスゲートウェイ設備であり、Ｅ−ＵＴＲＡＮとＰ−ＧＷとの間にデータを伝達し、且つページング待ちデータに対してキャッシュを行うことを担当する。Ｐ−ＧＷは３ＧＰＰ発展パケットシステムとＰＤＮ（Ｐａｃｋｅｔ  Ｄａｔａ  Ｎｅｔｗｏｒｋ、パケットデータネットワーク）の境界ゲートウェイであり、ユーザー端末のＰＤＮへのアクセスと、ＥＰＳとＰＤＮとの間にデータ等を伝達することとを担当する。ＰＣＲＦはポリシーと料金計算規則機能実体であり、それが受信インターフェースＲｘによって事業者のインターネットプロトコル（Ｉｎｔｅｒｎｅｔ  Ｐｒｏｔｏｃｏｌ、ＩＰと略称）業務ネットワークと接続し、業務情報を取得し、また、それがＧｘ／Ｇｘａ／Ｇｘｃインターフェースによってネットワークにおけるゲートウェイ設備と接続され、ＩＰベアラの確立を担当し、業務データのサービング品質（Ｑｕａｌｉｔｙ  ｏｆ  Ｓｅｒｖｉｃｅ、ＱｏＳと略称）を保証し、そして料金計算制御を行う。
【０００４】
ＥＰＳもＵＥのＥ−ＵＴＲＡＮ以外のその他の非３ＧＰＰシステムによるアクセスを支持し、その中に、非３ＧＰＰシステムのアクセスがＳ２ａ／ｂ／ｃインターフェースにより実現され、Ｐ−ＧＷが３ＧＰＰシステムのアクセスと非３ＧＰＰシステムのアクセスのデータアンカーポイントとなる。ＥＰＳのシステム枠組において、非３ＧＰＰシステムが信頼性非３ＧＰＰ  ＩＰアクセスネットワークと非信頼性非３ＧＰＰ  ＩＰアクセスネットワークに分ける。信頼性非３ＧＰＰ  ＩＰアクセスネットワークはＳ２ａインターフェースによりＰ−ＧＷに直接接続され、非信頼性非３ＧＰＰ  ＩＰアクセスネットワークはｅＰＤＧ（Ｅｖｏｌｖｅｄ  Ｐａｃｋｅｔ  Ｄａｔａ  Ｇａｔｅｗａｙ、発展型パケットデータネットワークゲートウェイ）によりＰ−ＧＷに接続され、ｅＰＤＧとＰ−ＧＷとの間のインターフェースはＳ２ｂである。Ｓ２ｃはＵＥ（Ｕｓｅｒ  Ｅqｕｉｐｍｅｎｔ、ユーザー設備）とＰ−ＧＷとの間のインターフェースであり、ＤＳＭＩＰｖ６（Ｍｏｂｌｉｅ  ＩＰｖ６  Ｓｕｐｐｏｒｔ  ｆｏｒ  Ｄｕａｌ  Ｓｔａｃｋ  Ｈｏｓｔｓ  ａｎｄ  Ｒｏｕｔｅｒｓ、デュアルスタックの移動ＩＰｖ６）プロトコルを用いて制御と移動性管理を提供する。
現在、Ｍｕｌｔｉｐｌｅ  Ａｃｃｅｓｓ（マルチアクセス）はＥＰＳの研究課題の１つになり、マルチアクセスとはＥＰＣがＵＥが複数種のアクセスネットワークにより同一のＰ−ＧＷ又は異なるＰ−ＧＷを通して１つのＰＤＮ又は複数のＰＤＮに同時にアクセスすることを支持することを言う。図２に示すように、ＵＥは非３ＧＰＰと３ＧＰＰアクセスのカバー下で、同時に非３ＧＰＰ  ＩＰアクセスネットワークと３ＧＰＰアクセスネットワークにより同一のＰ−ＧＷを通して同一のＰＤＮにアクセスされる。この場合に、ＵＥは複数のアクセスネットワークによりＥＰＣに接続され、Ｐ−ＧＷがＵＥに対して１つのＩＰアドレスを分配し、ＵＥとＰＤＮとの間にＰＤＮ接続が存在する。異なる業務は異なるネットワーク伝達に適応するため、マルチアクセス技術は業務の特性により適応するアクセスネットワーク伝達業務を選択でき、且つ、複数のアクセスネットワークはネットワーク負荷を分担することができ、ネットワークのジャムを避ける。例えば、非３ＧＰＰアクセスネットワークはＷｉＦｉである場合に、ＨｔｔｐとＦｔｐの業務データフローがＷｉＦｉアクセスネットワークを通じて、ＶｏＩＰの業務データフローが３ＧＰＰによりＵＥに送信することができる。
【０００５】
関連技術のＥＰＳにおけるマルチアクセス方法及びシステムにおいて、ＵＥの初期接続時に選択されたＰ−ＧＷがマルチアクセスを支持しない場合に、Ｐ−ＧＷはＵＥが出したマルチアクセス要求を識別できなくなり、ＵＥがＰ−ＧＷがマルチアクセスを支持するか否かを知らず、Ｐ−ＧＷがマルチアクセスを支持することを黙認し、これでまたマルチアクセス要求を出し、ネットワーク資源浪費になって、ユーザー体験が劣れるようになり、従来技術において以上の問題に対して、現在、有効な解決方案はまだ提出されない。
【発明の概要】
【発明が解決しようとする課題】
【０００６】
本発明の目的は、関連技術においてＵＥがＰ−ＧＷがマルチアクセスを支持するか否かを知らず、ネットワーク資源浪費になって、ユーザー体験が劣れるようになる技術問題を解決するように、ＥＰＳにおいてマルチアクセスを支持する端末に対する管理方法及びシステムを提供する。
【課題を解決するための手段】
【０００７】
本発明の一態様により、発展型パケットシステムにおける端末のマルチアクセス方法を提供する。
【０００８】
本発明による発展型パケットシステムにおける端末のマルチアクセス方法は、パケットデータネットワークゲートウェイが端末へパケットデータネットワークゲートウェイがマルチアクセスを支持し、第１プロトコル配置オプションに封入されている第１のマルチアクセス能力指示を前記端末に送信することと、パケットデータネットワークゲートウェイのマルチアクセス能力指示により、端末がマルチアクセスを実行することとを含む。
【０００９】
好ましくは、パケットデータネットワークゲートウェイが端末へ第１のマルチアクセス能力指示を送信する前、該方法は、端末がパケットデータネットワークゲートウェイへ端末がマルチアクセスを支持することを表示する第２のマルチアクセス能力指示を送信することを更に含む。
【００１０】
好ましくは、パケットデータネットワークゲートウェイが端末へ第１のマルチアクセス能力指示を送信することは、具体的には、サービングゲートウェイがパケットデータネットワークゲートウェイへベアラ確立要求又は代理結合更新を送信することと、パケットデータネットワークゲートウェイが端末にネットワークプロトコルアドレスを分配し、そしてサービングゲートウェイへ、パケットデータネットワークゲートウェイがマルチアクセスを支持するか否かを表示する第１のマルチアクセス能力指示を含むベアラ確立応答又は代理結合確定を返すことと、サービングゲートウェイが第１のマルチアクセス能力指示を端末に伝達することとを含む。
【００１１】
好ましくは、パケットデータネットワークゲートウェイが端末へ第１のマルチアクセス能力指示を送信することは、具体的には、信頼性非３ＧＰＰアクセスゲートウェイがパケットデータネットワークゲートウェイへ代理結合更新要求を送信することと、パケットデータネットワークゲートウェイが端末にネットワークプロトコルアドレスを分配することと、パケットデータネットワークゲートウェイが信頼性非３ＧＰＰアクセスゲートウェイへ、端末のネットワークプロトコルアドレスと第１のマルチアクセス能力指示を含む代理結合確認を戻すことと、信頼性非３ＧＰＰアクセスゲートウェイが第１のマルチアクセス能力指示を端末に伝達することとを含む。
【００１２】
好ましくは、パケットデータネットワークゲートウェイが端末へ第１のマルチアクセス能力指示を送信することは、具体的には、発展型パケットデータネットワークゲートウェイがパケットデータネットワークゲートウェイへ代理結合更新要求を送信することと、パケットデータネットワークゲートウェイが端末にネットワークプロトコルアドレスを分配することと、パケットデータネットワークゲートウェイが発展型パケットデータネットワークゲートウェイへ、端末のネットワークプロトコルアドレスと第１のマルチアクセス能力指示を含む代理結合確認を戻すことと、発展型パケットデータネットワークゲートウェイが第１のマルチアクセス能力指示を端末に伝達することを含む。
【００１３】
好ましくは、上述したマルチアクセス方法は、端末へ第１のマルチアクセス能力指示を送信するとともに、端末へパケットデータネットワークゲートウェイが支持する移動性管理プロトコルのタイプを送信することを更に含む。
【００１４】
好ましくは、上述したマルチアクセス方法は、パケットデータネットワークゲートウェイがマルチアクセスを支持しない場合、パケットデータネットワークゲートウェイが端末へ第１のマルチアクセス能力指示を送信しないことと、端末がマルチアクセスを実行しないこととを更に含む。
【００１５】
好ましくは、上述した方法において、第２のマルチアクセス能力指示を第２プロトコル配置オプションに封入されてパケットデータネットワークゲートウェイへ送信する。
【００１６】
本発明の他の態様により、発展型パケットシステムにおける端末のマルチアクセスシステムを更に提供する。
【００１７】
本発明による発展型パケットシステムにおける端末のマルチアクセスシステムは、端末へパケットデータネットワークゲートウェイがマルチアクセスを支持することを表示し、第１プロトコル配置オプションに封入されている第１のマルチアクセス能力指示を前記端末に送信し、そして端末のマルチアクセスを完成するパケットデータネットワークゲートウェイと、第１のマルチアクセス能力指示により、マルチアクセスを実行するアクセスモジュールとを含む。
【００１８】
好ましくは、アクセスモジュールは、パケットデータネットワークゲートウェイへ端末がマルチアクセスを支持することを表示する第２のマルチアクセス能力指示を送信することにも用いる。
【００１９】
好ましくは、パケットデータネットワークゲートウェイは端末へパケットデータネットワークゲートウェイが支持する移動性管理プロトコルタイプを送信することにも用いる。
【００２０】
好ましくは、第２のマルチアクセス能力指示が第２プロトコル配置オプションに封入されてパケットデータネットワークゲートウェイへ送信される。
【発明の効果】
【００２１】
本発明の上述した少なくとも１つの技術案により、端末へＰ−ＧＷがマルチアクセスを支持することを表示するＰ−ＧＷのマルチアクセス能力指示を送信し、そして端末が該マルチアクセス能力指示によりマルチアクセスを実行し、よって、Ｐ−ＧＷがマルチアクセスを支持しない場合に、端末がＰ−ＧＷへマルチアクセス要求を送信しなくなり、これでネットワーク資源浪費を避け、ユーザー体験を改善する技術効果を達する。
【００２２】
図面は、本発明をさらに理解し、そして本明細書の一部を構成し、本発明の実施例と一緒に本発明を解釈するためであるが、本発明の限定にならない。
【図面の簡単な説明】
【００２３】
【図１】従来技術においてＥＰＳのシステム枠組模式図である。
【図２】従来技術において端末マルチアクセスの模式図である。
【図３】本発明の第１の実施例によるＥＰＳにおける端末のマルチアクセス方法のフローチャートである。
【図４】本発明の第２の実施例によるＵＥがＥ−ＵＴＲＡＮによりＥＰＣにアクセスされる場合にＥＰＳにおける端末のマルチアクセス方法のフローチャートである。
【図５】本発明の第３の実施例によるＵＥが信頼性３ＧＰＰアクセスネットワークによりＥＰＣにアクセスされる場合にＥＰＳにおける端末のマルチアクセス方法のフローチャートである。
【図６】本発明の第４の実施例によるＵＥが非信頼性３ＧＰＰネットワークアクセスによりＥＰＣにアクセスされる場合にＥＰＳにおける端末のマルチアクセス方法のフローチャートである。
【図７】本発明の第５の実施例によるＥＰＳにおける端末のマルチアクセスシステムのブロック図である。
【００２４】
[詳細な説明]
以下、図面を参照しつつ、本発明の好適な実施例を説明し、理解すべくは、ここで記載の好適な実施例は本発明の説明と解釈のみに用いるが、本発明を限定するものではない。
【００２５】
以下の記載において、解釈するために、複数の特定の細部を記載し、本発明に対して徹底的な理解を提供する。しかしながら、明らかに、これら特定の細部はない場合に、本発明も実現でき、また、付属の特許請求の範囲と矛盾せず、付属の特許請求の範囲の精神と範囲から離反しない場合に、以下の実施例及び実施例において各細部が各種の組合せを行ってもよい。
【００２６】
[第１の実施例]
図３は本発明の第１の実施例によるＥＰＳにおける端末のマルチアクセス方法のフローチャートである。図３に示すように、本発明の第１の実施例によるＥＰＳにおける端末のマルチアクセス方法は、
Ｐ−ＧＷが端末へＰ−ＧＷがマルチアクセスを支持することを表示する第１のマルチアクセス能力指示を送信するステップＳ３０２と、
Ｐ−ＧＷのマルチアクセス能力指示により、端末がマルチアクセスを実行するステップＳ３０４とを含む。
【００２７】
本発明の第１の実施例によるＥＰＳにおける端末のマルチアクセス方法は、端末へＰ−ＧＷがマルチアクセスを支持することを表示するＰ−ＧＷのマルチアクセス能力指示を送信し、そして端末が該マルチアクセス能力指示によりマルチアクセスを実行し、よって、Ｐ−ＧＷがマルチアクセスを支持しない場合に、端末がＰ−ＧＷへマルチアクセス要求を送信しなくなり、これでネットワーク資源浪費を避け、ユーザー体験を改善する技術効果を達する。
【００２８】
好ましくは、パケットデータネットワークゲートウェイが端末へ第１のマルチアクセス能力指示を送信する前、該方法は、端末がパケットデータネットワークゲートウェイへ端末がマルチアクセスを支持することを表示する第２のマルチアクセス能力指示を送信することを更に含む。これでＰ−ＧＷが端末がマルチアクセスを支持するか否かを知り、そして端末がマルチアクセスを支持するか否かにより端末へその自身のマルチアクセス能力指示を返し、最終にＵＥとＰ−ＧＷとの間に相手のマルチアクセス能力を知るようになる。
【００２９】
好ましくは、Ｐ−ＧＷが端末へ第１のマルチアクセス能力指示を送信することは、具体的には、サービングゲートウェイがＰ−ＧＷへベアラ確立要求又は代理結合更新を送信することと、Ｐ−ＧＷが端末にネットワークプロトコルアドレスを分配し、そしてサービングゲートウェイへ、Ｐ−ＧＷがマルチアクセスを支持するか否かを表示する第１のマルチアクセス能力指示を含むベアラ確立応答又は代理結合確認を返すことと、サービングゲートウェイが第１のマルチアクセス能力指示を端末に伝達することとを含む。これでＵＥがＥ−ＵＴＲＡＮによりＥＰＣにアクセスされる場合に、Ｐ−ＧＷがそのマルチアクセス能力をＵＥへ通知する目的を達する。
【００３０】
好ましくは、Ｐ−ＧＷが端末へ第１のマルチアクセス能力指示を送信することは、具体的には、信頼性非３ＧＰＰアクセスゲートウェイがＰ−ＧＷへ代理結合更新要求を送信することと、Ｐ−ＧＷが端末にネットワークプロトコルアドレスを分配することと、Ｐ−ＧＷが信頼性非３ＧＰＰアクセスゲートウェイへ、端末のネットワークプロトコルアドレスと第１のマルチアクセス能力指示を含む代理結合確認を返すことと、信頼性非３ＧＰＰアクセスゲートウェイが第１のマルチアクセス能力指示を端末に伝達することとを含む。これでＵＥが信頼性３ＧＰＰネットワークアクセスによりＥＰＣにアクセスされる場合に、Ｐ−ＧＷがそのマルチアクセス能力をＵＥへ通知する目的を達する。
【００３１】
好ましくは、Ｐ−ＧＷが端末へ第１のマルチアクセス能力指示を送信することは、具体的には、発展型Ｐ−ＧＷがパケットデータネットワークゲートウェイへ代理結合更新要求を送信することと、Ｐ−ＧＷが端末にネットワークプロトコルアドレスを分配することと、Ｐ−ＧＷが発展型Ｐ−ＧＷへ、端末のネットワークプロトコルアドレスと第１のマルチアクセス能力指示を含む代理結合確認を返すことと、発展型Ｐ−ＧＷが第１のマルチアクセス能力指示を端末に伝達することとを含む。これでＵＥが非信頼性３ＧＰＰネットワークアクセスによりＥＰＣにアクセスされる場合に、Ｐ−ＧＷがそのマルチアクセス能力をＵＥへ通知する目的を達する。
【００３２】
好ましくは、上述したマルチアクセス方法は、端末へ第１のマルチアクセス能力指示を送信するとともに、端末へＰ−ＧＷが支持する移動性管理プロトコルタイプを送信することを更に含む。従来技術において、ＵＥが３ＧＰＰによりアクセスする場合に、ＵＥがＰ−ＧＷが支持する移動性管理プロトコルを知ることができず、ＵＥがマルチアクセスを起すことを決定した後であって移動性管理プロトコルを選択する時にしか、ＵＥがＰ−ＧＷが支持する移動性管理プロトコルを知ることができない。ＵＥとＰ−ＧＷの能力が一致しないと、ＵＥがマルチアクセスフローを終了する。このため、端末へＰ−ＧＷのマルチアクセス能力指示を送信するとともに、端末へＰ−ＧＷが支持する移動性管理プロトコルタイプを送信することによって、ＵＥがＰ−ＧＷが支持する移動性管理プロトコルを知るようになり、ネットワーク資源の浪費を避け、ユーザー体験を改善できる。
【００３３】
好ましくは、上述したマルチアクセス方法は、パケットデータネットワークゲートウェイがマルチアクセスを支持しない場合、パケットデータネットワークゲートウェイが端末へ第１のマルチアクセス能力指示を送信しないことと、端末がマルチアクセスを実行することとを更に含む。これでＵＥのマルチアクセス業務が、Ｐ−ＧＷがマルチアクセスを支持するか否かに従って管理される目的を達する。
【００３４】
好ましくは、第１のマルチアクセス能力指示と第２のマルチアクセス能力指示をプロトコル配置オプションに封入して端末へ送信する ことを更に含む。これでアクセスネットワーク構成要素に対する影響をできるだけ低減できる。
【００３５】
本発明の第１の実施例によるＥＰＳにおける端末のマルチアクセス方法は、端末へＰ−ＧＷがマルチアクセスを支持することを表示するＰ−ＧＷのマルチアクセス能力指示とＰ−ＧＷが支持する移動性管理プロトコルタイプを送信し、そして端末が該マルチアクセス能力指示によりマルチアクセスを実行し、Ｐ−ＧＷがマルチアクセスを支持しない場合に、端末がＰ−ＧＷへマルチアクセス要求を送信しないようになり、これでネットワーク資源浪費を避け、ユーザー体験を改善する技術効果を達する。
【００３６】
[第２の実施例]
図４は本発明の第２の実施例によるＵＥがＥ−ＵＴＲＡＮによりＥＰＣにアクセスされる場合にＥＰＳにおける端末のマルチアクセス方法のフローチャートである。図４において、Ｐ−ＧＷがそれが有するマルチアクセス能力をＵＥへ通知し、Ｐ−ＧＷがマルチアクセスを支持し、Ｓ−ＧＷとＰ−ＧＷとの間にＧＴＰプロトコルを用いる。
【００３７】
図４に示すように、本発明の第２の実施例によるＥＰＳにおける端末のマルチアクセス方法は、
ＵＥがｅＮｏｄｅＢへ、ＥＰＳへのアクセスを要求する接続要求メッセージを送信するステップ４０１と、
ｅＮｏｄｅＢがＭＭＥへ接続要求メッセージを送信するステップ４０２と、
ネットワークがＵＥに対する認証を行い、そしてＮＡＳ安全暗号化保護を起動するステップ４０３と、
認証がパスした後、ＭＭＥとＨＳＳが情報対話を行い、位置更新フローを実行するステップ４０４と、
ＭＭＥはユーザーがサインしたデフォルトＡＰＮ によりＵＥに対してＰ−ＧＷを選択し、１つのＳ−ＧＷを選択した後、選択したＳ−ＧＷへデフォルトベアラ確立要求メッセージを送信するステップ４０５と、
Ｓ−ＧＷが選択したＰ−ＧＷへデフォルトベアラ確立要求メッセージを送信するステップ４０６と、
Ｐ−ＧＷがＵＥのアクセスのためＩＰアドレスを分配した後、Ｓ−ＧＷへデフォルトベアラ確立応答メッセージを返し、Ｐ−ＧＷがマルチアクセスを支持するので、Ｐ−ＧＷが、返されたメッセージにマルチアクセス能力指示を含むステップ４０７と、
Ｓ−ＧＷがＭＭＥへ、マルチアクセス能力指示を含むデフォルトベアラ確立応答を返すステップ４０８と、
ＭＭＥがｅＮｏｄｅＢへ、マルチアクセス能力指示を含む接続引き受けメッセージを返すステップ４０９と、
ｅＮｏｄｅＢがＵＥへ、マルチアクセス能力指示を含む接続受付メッセージを返し、ＵＥが知るようになるステップ４１０と、
ＵＥがｅＮｏｄｅＢへ接続完了メッセージを送信するステップ４１１と、
ｅＮｏｄｅＢがＭＭＥへ接続完了メッセージを送信するステップ４１２と、
ＭＭＥとＳ−ＧＷがベアラを更新する情報対話フローを行うステップ４１３とを含む。
【００３８】
ステップ４０１において、ＵＥが接続要求メッセージを送信する時に、マルチアクセス能力指示を含みＰ−ＧＷへＵＥがマルチアクセスを支持することを通知できる。Ｐ−ＧＷがＵＥが送信したマルチアクセス能力指示情報によりステップ４０７においてマルチアクセス能力指示を含むか否かを決定する。
【００３９】
ステップ４０７において、Ｐ−ＧＷはＵＥへ、ＵＥが非３ＧＰＰによりアクセスされる場合に支持する移動性管理プロトコルタイプを返すことができる。例えば、Ｐ−ＧＷがＤＳＭＩＰｖ６を支持する場合、Ｐ−ＧＷがステップ４０７においてマルチアクセス能力指示とＤＳＭＩＰｖ６支持指示を含み、Ｐ−ＧＷがＰＭＩＰｖ６を支持する場合、Ｐ−ＧＷがステップ４０７においてマルチアクセス能力指示とＰＭＩＰｖ６支持指示を含む。
【００４０】
後のステップ４０８、４０９、４１０においても、相応の指示情報を含みＵＥへ通知する。ＵＥがＰ−ＧＷのマルチアクセス能力を知った後、ＵＥがマルチアクセス業務要求を起すか否かを決定する。
【００４１】
アクセスネットワーク構成要素に対する影響をできるだけ低減するために、Ｐ−ＧＷがマルチアクセス能力指示及び／又は移動性管理タイプ支持指示をＰＣＯ に封入してＵＥに送信する。ＵＥもそのマルチアクセス能力指示をＰＣＯに封入してＰ−ＧＷへ送信することもできる。
【００４２】
ＵＥはＥ−ＵＴＲＡＮによりＥＰＣにアクセスし、Ｓ−ＧＷとＰ−ＧＷとの間にＰＭＩＰｖ６プロトコルを用いる場合の、Ｐ−ＧＷはＵＥへＰ−ＧＷがマルチアクセス能力を有することを通知するフローがこれに類似する。異なる点は、ステップ４０６において、Ｓ−ＧＷがＰ−ＧＷへ代理結合更新メッセージを送信し、ステップ４０７において、Ｐ−ＧＷがＳ−ＧＷへ、マルチアクセス能力指示及び／又は移動性管理タイプ支持指示を含む代理結合確認メッセージを返す。
【００４３】
本発明の第２の実施例によるＵＥがＥ−ＵＴＲＡＮによりＥＰＣにアクセスされる場合の、ＥＰＳにおける端末のマルチアクセス方法は、端末へＰ−ＧＷがマルチアクセスを支持するか否かを表示するＰ−ＧＷのマルチアクセス能力指示とＰ−ＧＷが支持する移動性管理プロトコルタイプを送信し、そして該マルチアクセス能力指示に従って端末のマルチアクセス業務を管理し、Ｐ−ＧＷがマルチアクセスを支持しない場合に、端末がＰ−ＧＷへマルチアクセス要求を送信しないようになり、且つＵＥがＰ−ＧＷが支持する移動性管理プロトコルを知るようになり、これでネットワーク資源浪費を避け、ユーザー体験を改善する技術効果を達する。
【００４４】
[第３の実施例]
図５は本発明の第３の実施例によるＵＥが信頼性３ＧＰＰネットワークアクセスによりＥＰＣにアクセスされる場合のＥＰＳにおける端末のマルチアクセス方法のフローチャートである。図５において、この過程においてＰ−ＧＷがそれが有するマルチアクセス能力をＵＥへ通知し、Ｐ−ＧＷがマルチアクセスを支持する。図５に示すように、本発明の第３の実施例によるＥＰＳにおける端末のマルチアクセス方法は、
非３ＧＰＰアクセスネットワーク特定の層２初期アクセスフローを実行するステップ５０１と、
ＥＡＰ認証過程を実行するステップ５０２と、
認証授権が成功した後、非３ＧＰＰアクセス特定の層３接続フローをトリガーされ、信頼性非３ＧＰＰアクセスゲートウェイがＵＥのアクセスのためＰ−ＧＷを選択するステップ５０３と、
信頼性非３ＧＰＰアクセスゲートウェイが、選択されたＰ−ＧＷへ代理結合更新情報を送信するステップ５０４と、
Ｐ−ＧＷとＨＳＳ／ＡＡＡ が情報対話を行い、その自身のアドレス情報を保存するステップ５０５と、
Ｐ−ＧＷが信頼性非３ＧＰＰアクセスゲートウェイへ、Ｐ−ＧＷが分配したＩＰアドレスを含む代理結合確認メッセージを返し、Ｐ−ＧＷがマルチアクセスを支持するため、Ｐ−ＧＷがマルチアクセス能力指示を返されたメッセージに含むステップ５０６と、
信頼性非３ＧＰＰ  ＩＰアクセスゲートウェイがＵＥへ、マルチアクセス能力指示を含む層３接続完了メッセージを返し、ＵＥがＰ−ＧＷがマルチアクセスを支持することを知るようになるステップ５０７とを含む。
【００４５】
ステップ５０３において、ＵＥが非３ＧＰＰアクセス特定の層３接続フローを実行する場合にマルチアクセス能力指示を含み、Ｐ−ＧＷへＵＥがマルチアクセスを支持することを通知することができ、Ｐ−ＧＷが、ＵＥが送信したマルチアクセス能力指示情報に従ってステップ５０６においてマルチアクセス能力指示を含むことを決定する。
【００４６】
アクセスネットワーク構成要素に対する影響をできるだけ低減するために、Ｐ−ＧＷがマルチアクセス能力指示及び／又は移動性管理タイプ支持指示をＰＣＯに封入してＵＥに送信することができる。ＵＥもそのマルチアクセス能力指示をＰＣＯに封入してＰ−ＧＷに送信することもできる。
【００４７】
ＵＥがＰ−ＧＷがマルチアクセスを支持することを知った後、マルチアクセスを行うか否かを決定する。
【００４８】
本発明の第３の実施例によるＵＥが信頼性３ＧＰＰネットワークアクセスによりＥＰＣにアクセスされる場合の、ＥＰＳにおける端末のマルチアクセス方法は、端末へＰ−ＧＷがマルチアクセスを支持するか否かを表示するＰ−ＧＷのマルチアクセス能力指示とＰ−ＧＷが支持する移動性管理プロトコルタイプを送信し、そして該マルチアクセス能力指示に従って端末のマルチアクセス業務を管理し、よって、Ｐ−ＧＷがマルチアクセスを支持しない場合に、端末がＰ−ＧＷへマルチアクセス要求を送信しないようになり、且つＵＥがＰ−ＧＷが支持する移動性管理プロトコルを知るようになり、これでネットワーク資源浪費を避け、ユーザー体験を改善する技術効果を達する。
【００４９】
[第４の実施例]
図６は本発明の第４の実施例によるＵＥが非信頼性３ＧＰＰネットワークアクセスによりＥＰＣにアクセスされる場合のＥＰＳにおける端末のマルチアクセス方法のフローチャートである。図６において、この過程においてＰ−ＧＷがそれが有するマルチアクセス能力をＵＥへ通知し、Ｐ−ＧＷがマルチアクセスを支持する。図６に示すように、本発明の第４の実施例によるＵＥが非信頼性３ＧＰＰネットワークアクセスによりＥＰＣにアクセスされる場合のＥＰＳにおける端末のマルチアクセス方法は、
ＵＥがＩＫＥｖ２プロトコルによりｅＰＤＧに対してＩＰＳｅｃトンネル の確立を起し、ｅＰＤＧとＡＡＡが情報対話を行い、ＥＡＰ（展開認証プロトコル）認証を完了するステップ６０１と、
ｅＰＤＧがＵＥのアクセスのためＰ−ＧＷを選択した後、Ｐ−ＧＷへ代理結合更新情報を送信するステップ６０２と、
Ｐ−ＧＷとＨＳＳ／ＡＡＡが情報対話を行い、その自身のアドレス情報を保存するステップ６０３と、
Ｐ−ＧＷがｅＰＤＧへ代理結合更新確認メッセージを返し、Ｐ−ＧＷがマルチアクセスを支持するため、Ｐ−ＧＷが更にマルチアクセス能力指示を返されたメッセージに含むステップ６０４と、
ｅＰＤＧとＵＥのＩＰＳｅｃトンネル確立が完了するステップ６０５と、
ｅＰＤＧがＵＥのＩＰアドレスを配置し、マルチアクセス能力指示を携帯し、ＵＥがＰ−ＧＷがマルチアクセスを支持することを知るステップ６０６とを含む。
【００５０】
ステップ６０１において、ＵＥが、ＩＰＳｅｃトンネル確立を実行する過程においてマルチアクセス能力指示を携帯してＰ−ＧＷへＵＥがマルチアクセスを支持することを通知でき、Ｐ−ＧＷがＵＥが送信したマルチアクセス能力指示メッセージによりステップ６０４においてマルチアクセス能力指示を含むことを決定する。
【００５１】
アクセスネットワーク構成要素に対する影響をできるだけ低減するために、Ｐ−ＧＷがマルチアクセス能力指示及び／又は移動性管理タイプ支持指示をＰＣＯに封入してＵＥに送信してもいい。ＵＥもそのマルチアクセス能力指示をＰＣＯに封入してＰ−ＧＷに送信してもいい。ＵＥがＰ−ＧＷがマルチアクセスを支持することを知った後、マルチアクセスを行うか否かを決定する。
【００５２】
本発明の第４の実施例によるＵＥが非信頼性３ＧＰＰネットワークアクセスによりＥＰＣにアクセスされる場合の、ＥＰＳにおける端末のマルチアクセス方法は、端末へＰ−ＧＷがマルチアクセスを支持するか否かを表示するＰ−ＧＷのマルチアクセス能力指示とＰ−ＧＷが支持する移動性管理プロトコルタイプを送信し、そして該マルチアクセス能力指示により端末のマルチアクセス業務を管理し、よって、Ｐ−ＧＷがマルチアクセスを支持しない場合に、端末がＰ−ＧＷへマルチアクセス要求を送信しないようになり、且つＵＥがＰ−ＧＷが支持する移動性管理プロトコルを知るようになり、これでネットワーク資源浪費を避け、ユーザー体験を改善する技術効果を達する。
【００５３】
[第５の実施例]
図７は本発明の第５の実施例によるＥＰＳにおける端末のマルチアクセスシステムのブロック図である。図７に示すように、本発明の第５の実施例によるＥＰＳにおける端末のマルチアクセスシステムは、端末へパケットデータネットワークゲートウェイがマルチアクセスを支持することを表示する第１のマルチアクセス能力指示を送信し、且つ端末のマルチアクセスを完成するＰ−ＧＷ  ７０２と、第１のマルチアクセス能力指示により、マルチアクセスを実行するアクセスモジュール７０４とを含む。
【００５４】
本発明の第５の実施例によるＥＰＳにおける端末のマルチアクセスシステムはＰ−ＧＷにより端末へＰ−ＧＷがマルチアクセスを支持することを表示する第１のマルチアクセス能力指示を送信し、そして端末が該マルチアクセス能力指示によりマルチアクセスを実行し、よって、Ｐ−ＧＷがマルチアクセスを支持しない場合に、端末がＰ−ＧＷへマルチアクセス要求を送信しないようになり、これでネットワーク資源浪費を避け、ユーザー体験を改善する技術効果を達する。
【００５５】
好ましくは、アクセスモジュールはパケットデータネットワークゲートウェイへ端末がマルチアクセスを支持することを表示する第２のマルチアクセス能力指示を送信することにも用いる。これで、Ｐ−ＧＷが端末がマルチアクセスを支持するか否かを知るようになり、そして端末がマルチアクセスを支持するか否かにより端末へその自身のマルチアクセス能力指示を返し、最終にＵＥとＰ−ＧＷとの間に相手のマルチアクセス能力を知るようになる。
【００５６】
好ましくは、Ｐ−ＧＷは端末へＰ−ＧＷが支持する移動性管理プロトコルタイプを送信することにも用いる。従来技術において、ＵＥが３ＧＰＰによりアクセスされる場合に、ＵＥがＰ−ＧＷが支持する移動性管理プロトコルを知ることができず、ＵＥがマルチアクセスを起すことを決定した後であって移動性管理プロトコルを選択する時にしか、ＵＥがＰ−ＧＷが支持する移動性管理プロトコルを知ることができない。ＵＥとＰ−ＧＷ能力が一致しないと、ＵＥがマルチアクセスフローを終了するしかない。このため、端末へＰ−ＧＷのマルチアクセス能力指示を送信するとともに、端末へＰ−ＧＷが支持する移動性管理プロトコルタイプを送信し、ＵＥがＰ−ＧＷが支持する移動性管理プロトコルを知るようになり、これでネットワーク資源の浪費を避け、ユーザー体験を改善する。
【００５７】
好ましくは、第１のマルチアクセス能力指示と第２のマルチアクセス能力指示がプロトコル配置オプションに封入されて端末へ送信される。 これでアクセスネットワーク構成要素に対する影響をできるだけ低減する。
【００５８】
本発明の第５の実施例によるＥＰＳにおける端末のマルチアクセスシステムは、Ｐ−ＧＷにより端末へＰ−ＧＷがマルチアクセスを支持することを表示するＰ−ＧＷのマルチアクセス能力指示とＰ−ＧＷが支持する移動性管理プロトコルタイプを送信し、そしてアクセスモジュールにより該マルチアクセス能力指示により端末のマルチアクセスを実行し、よって、Ｐ−ＧＷがマルチアクセスを支持しない場合に、端末がＰ−ＧＷへマルチアクセス要求を送信しなく、且つＵＥがＰ−ＧＷが支持する移動性管理プロトコルを知ることができ、これでネットワーク資源浪費を避け、ユーザー体験を改善する技術効果を達する。
【００５９】
本発明の上述した少なくとも１つの技術案を用い、Ｐ−ＧＷによりＵＥへＰ−ＧＷがマルチアクセスを支持することを表示するマルチアクセス能力指示を送信し、よって、端末がＰ−ＧＷがマルチアクセスを支持するか否かによりマルチアクセス要求を起すか否かを決定することができ、これでネットワーク資源浪費を避け、ユーザー体験を改善する技術効果を達する。
【００６０】
当業者にとって、上述の本発明の各モジュール又は各ステップは共通の計算装置によって実現することができ、単独の計算装置に集中させてもよいし、複数の計算装置から構成されるネットワークに分散させてもよく、或は計算装置が実行可能なプログラムのコードによって実現することもできるので、それらを記憶装置に記憶させて計算装置によって実行することができ、また、ある場合には、示された或は述べられたステップがここでのと違う順で実行されてもよく、又はそれらの夫々をそれぞれ集積回路ブロックに製作し、又はそれらにおける複数のモジュール又はステップを単独の集積回路モジュールに製作して実現することができることは明らかなことである。このように、本発明は如何なる特定のハードウェアとソフトウェアの結合にも限定されない。
【００６１】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005504340.tif 000002
【図２】
0005504340.tif 000003
【図３】
0005504340.tif 000004
【図４】
0005504340.tif 000005
【図５】
0005504340.tif 000006
【図６】
0005504340.tif 000007
【図７】
0005504340.tif 000008